(57)【要約】【課題】  電話機に備え付けられるキーの多機能化を図り、キー数の増加を抑制する。【解決手段】  本発明の発呼制御装置は、オフフック状態において、キー入力を検知すると（ステップＳ１）、入力されたキーの種類をチェックする（ステップＳ２）。発信／リダイヤルキーである場合には、ダイヤルバッファにダイヤルデータが格納されているか否かをチェックする（ステップＳ４）。ダイヤルデータが格納されている場合には（ステップＳ４；ＹＥＳ）、ダイヤルデータを発呼先番号として設定して（ステップＳ５）、発呼メッセージを送信する（ステップＳ６）。ダイヤルデータが格納されていない場合には（ステップＳ４；ＮＯ）、リダイヤルデータを発呼先番号として設定して（ステップＳ７）、発呼メッセージを送信する（ステップＳ６）。【選択図】    図３
2005328126.tif 000002
【特許請求の範囲】
【請求項１】
ダイヤルデータを記憶するダイヤルバッファと、
発呼制御を行う制御部と、
前記制御部に発呼処理を要求する発信／リダイヤルキーを備え、
前記制御部は前記発信／リダイヤルキーが入力された場合において、
前記ダイヤルバッファにダイヤルデータが格納されている場合には前記ダイヤルデータを発呼先番号として発呼処理を行う一方で、
前記ダイヤルバッファにダイヤルデータが格納されていない場合にはリダイヤルデータを発呼先番号として発呼処理を行う、発呼制御装置。
【請求項２】
ダイヤルデータを記憶するダイヤルバッファと、
オンフック／オフフックを検知する検知手段と、
発呼制御を行う制御部と、
前記制御部に発呼処理を要求する発信／リダイヤルキーを備え、
前記制御部はオフフック状態で前記発信／リダイヤルキーが入力された場合において、
前記ダイヤルバッファにダイヤルデータが格納されている場合には前記ダイヤルデータを発呼先番号として発呼処理を行う一方で、
前記ダイヤルバッファにダイヤルデータが格納されていない場合にはリダイヤルデータを発呼先番号として発呼処理を行う、発呼制御装置。
【請求項３】
ダイヤルデータを記憶するダイヤルバッファと、
発呼先番号を表示する表示部と、
オンフック／オフフックを検知する検知手段と、
発呼制御を行う制御部と、
前記制御部に発呼処理を要求する発信／リダイヤルキーを備え、
前記制御部はオンフック状態で前記発信／リダイヤルキーが入力された場合において、
前記ダイヤルバッファにダイヤルデータが格納されている場合には前記ダイヤルデータを発呼先番号として発呼処理を行う一方で、
前記ダイヤルバッファにダイヤルデータが格納されていない場合にはリダイヤルデータを発呼先番号として前記表示部に表示し、前記発信／リダイヤルキーが再入力された場合に前記リダイヤルデータを発呼先番号として発呼処理を行う、発呼制御装置。
【請求項４】
請求項１乃至請求項３のうち何れか１項に記載の発呼制御装置を備えたＩＰ電話機。
【発明の詳細な説明】
【技術分野】
【０００１】
本発明は電話機に備え付けられたキーの多機能化を図るための改良技術に関する。
【背景技術】
【０００２】
従来のＩＰ電話機やＩＳＤＮ電話機のように発呼時にダイヤルデータを一括してネットワークに送出する電話機においては、ダイヤルデータを一括送信するタイミングを決定する手段として、例えば、専用の発信キーを設け、この発信キーの入力操作を発信契機としている。
【発明の開示】
【発明が解決しようとする課題】
【０００３】
しかし、専用の発信キーを新たに設置すると、電話機に備え付けられるキー数が増加するため、キー数が限られている電話機においては好ましくない。
【０００４】
そこで、本発明は電話機に備え付けられるキーの多機能化を図り、キー数の増加を抑制した発呼制御装置及びＩＰ電話機を提供することを課題とする。
【課題を解決するための手段】
【０００５】
上記の課題を解決するため、本発明の発呼制御装置は、ダイヤルデータを記憶するダイヤルバッファと、発呼制御を行う制御部と、前記制御部に発呼処理を要求する発信／リダイヤルキーを備え、前記制御部は前記発信／リダイヤルキーが入力された場合において、前記ダイヤルバッファにダイヤルデータが格納されている場合には前記ダイヤルデータを発呼先番号として発呼処理を行う一方で、前記ダイヤルバッファにダイヤルデータが格納されていない場合にはリダイヤルデータを発呼先番号として発呼処理を行う。このように発信／リダイヤルキーは発信キーの機能とリダイヤルキーの機能を兼ね備えるため、キー数の増加を抑制できる。
【０００６】
本発明の発呼制御装置は、ダイヤルデータを記憶するダイヤルバッファと、オンフック／オフフックを検知する検知手段と、発呼制御を行う制御部と、前記制御部に発呼処理を要求する発信／リダイヤルキーを備え、前記制御部はオフフック状態で前記発信／リダイヤルキーが入力された場合において、前記ダイヤルバッファにダイヤルデータが格納されている場合には前記ダイヤルデータを発呼先番号として発呼処理を行う一方で、前記ダイヤルバッファにダイヤルデータが格納されていない場合にはリダイヤルデータを発呼先番号として発呼処理を行う。かかる構成により、オフフックの状態で発信／リダイヤルキーを入力すると、ダイヤルデータが入力されていない場合には自動的にリダイヤル発信を行うため、利便性に優れている。
【０００７】
本発明の発呼制御装置は、ダイヤルデータを記憶するダイヤルバッファと、発呼先番号を表示する表示部と、オンフック／オフフックを検知する検知手段と、発呼制御を行う制御部と、前記制御部に発呼処理を要求する発信／リダイヤルキーを備え、前記制御部はオンフック状態で前記発信／リダイヤルキーが入力された場合において、前記ダイヤルバッファにダイヤルデータが格納されている場合には前記ダイヤルデータを発呼先番号として発呼処理を行う一方で、前記ダイヤルバッファにダイヤルデータが格納されていない場合にはリダイヤルデータを発呼先番号として前記表示部に表示し、前記発信／リダイヤルキーが再入力された場合に前記リダイヤルデータを発呼先番号として発呼処理を行う。かかる構成により、オンフックの状態で発信／リダイヤルキーを２回入力するだけでリダイヤル発信が可能となり、利便性に優れている。
【０００８】
本発明のＩＰ電話機は本発明の発呼制御装置を備える。本発明の発呼制御装置を備えることにより、ＩＰ電話機のキーの多機能化とキー数の削減を図ることができる。
【発明の効果】
【０００９】
本発明によれば、発信キーとリダイヤルキーを兼用することにより、キー数の増加を抑制できる。
【発明を実施するための最良の形態】
【００１０】
以下、各図を参照して本実施形態について説明する。
図１は本実施形態の発呼制御装置を備えたＩＰ電話機１０の機能ブロック図である。同図に示すように、ＩＰ電話機１０はベースユニット２０とハンドセット４０から成る。ベースユニット２０は、主に、インターフェース回路２１、制御部２２、信号処理部２３、コーデック２４、音声増幅器２５、音声増幅器２６、受信バッファ２７、送信バッファ２８、ダイヤルバッファ２９、フックスイッチ３０、ダイヤルキー３１、発信／リダイヤルキー３２、ＬＣＤ表示部３３を備えて構成されている。
【００１１】
ハンドセット４０に内蔵されているマイクロフォン４２には音声増幅器２６が接続されており、マイクロフォン４２に入力された音声信号は音声増幅器２６で増幅されてコーデック２４に入力される。一方、コーデック２４から出力される音声信号は音声増幅器２５で増幅され、スピーカ４１を通じて拡声出力される。コーデック２４はＡ／Ｄコンバータと、Ｄ／Ａコンバータを含み、音声増幅器２６から出力されるアナログ音声信号をデジタル音声信号（音声データ）に変換して信号処理回路２３に供給するとともに、信号処理回路２３から出力される音声データをアナログ音声信号に変換して音声増幅器２５に出力する。
【００１２】
信号処理回路２３はＤＳＰ（Digital Signal Processor）等を含んで構成される音声データの圧縮／伸張回路であり、コーデック２４から供給される音声データを圧縮して送信バッファ２８に格納するとともに、制御部２２から供給される圧縮処理後の音声データに伸張処理を施し、伸張処理後の音声データをコーデック２４に供給する。インターフェース回路２１はＭＡＣ（Media Access Control）回路と、ＰＨＹ（Physical Protocol）回路を含んで構成される回路であり、ＩＰネットワーク等の伝送路から送られてきた伝送符号を復号化処理して受信バッファ２７に格納するとともに、制御部２２から供給される音声データを符号化して伝送路に送出する。制御部２２は呼制御などを実行する回路であり、送信バッファ２８に格納された音声データを読み出してこれを所定のフレームにパケット化し、パケット化された音声データをインターフェース回路２１に供給するとともに、受信バッファ２７に蓄積している受信データから音声データを取り出して信号処理回路２３に供給する。
【００１３】
ベースユニット２０は、さらに、ダイヤルデータを蓄積するためのダイヤルバッファ２９、ハンドセット４０のオンフック／オフフックを検知するためのフックスイッチ（検知手段）３０、ダイヤル入力を行うためのダイヤルキー３１、発呼（リダイヤル発呼を含む）を要求するための発信／リダイヤルキー３２、ダイヤルデータ等を表示するためのＬＣＤ表示部３３を備えている。
【００１４】
図２はベースユニット２０の平面図である。同図に示すように、ベースユニット２０には上述したフックスイッチ３０、ダイヤルキー３１、発信／リダイヤルキー３２、ＬＣＤ表示部３３に加えて、音量調整キー、設定キー、キャンセルキー、転送／フックキー、スピーカキー、保留キーなどが備え付けられている。発信／リダイヤルキー３２は従来の発信キーとリダイヤルキーを兼用したキーであり、このキーを入力操作することで、ダイヤルした番号に発呼したり、又はリダイヤルしたりすることができる。
【００１５】
図３は制御部２２によって実行される発呼処理を記述したフローチャートである。同図に示すように、オフフック状態において、キー入力を検知すると（ステップＳ１）、押下されたキーの種別をチェックする（ステップＳ２）。押下されたキーがダイヤルキーである場合にはダイヤルデータをダイヤルバッファ２９に格納し（ステップＳ３）、ステップＳ１に再帰する。押下されたキーが発信／リダイヤルキー３２である場合にはダイヤルバッファ２９にダイヤルデータが格納されているか否かをチェックする（ステップＳ４）。
【００１６】
ダイヤルバッファ２９にダイヤルデータが格納されている場合には（ステップＳ４；ＹＥＳ）、そのダイヤルデータを発呼先番号として設定し（ステップＳ５）、発呼メッセージを送信する（ステップＳ６）。一方、ダイヤルバッファ２９にダイヤルデータが格納されていない場合には（ステップＳ４；ＮＯ）、リダイヤルデータを発呼先番号として設定し（ステップＳ７）、発呼メッセージを送信する（ステップＳ６）。リダイヤルデータとしては、発信履歴の中で一番最近に発呼した端末番号が好適であるが、必ずしもこれに限られるものではなく、例えば、発信履歴又は着信履歴のリストの中から発呼者が選択できるように構成してもよい。
【００１７】
これに対し、押下されたキーがスピーカキーである場合にはダイヤルバッファ２９をクリアし（ステップＳ８）、待ちうけ状態に移行する。キャンセルキーである場合にはダイヤルバッファ２９をクリアし（ステップＳ９）、ステップＳ１に再帰する。
【００１８】
図４は制御部２２によって実行される発呼処理を記述したフローチャートである。同図に示すように、オンフック状態において、キー入力を検知すると（ステップＳ１０）、押下されたキーの種別をチェックする（ステップＳ１１）。押下されたキーがダイヤルキーである場合にはダイヤルデータをダイヤルバッファ２９に格納し（ステップＳ１２）、ステップＳ１０に再帰する。押下されたキーが発信／リダイヤルキー３２である場合にはダイヤルバッファ２９にダイヤルデータが格納されているか否かをチェックする（ステップＳ１３）。
【００１９】
ダイヤルバッファ２９にダイヤルデータが格納されている場合には（ステップＳ１３；ＹＥＳ）、そのダイヤルデータを発呼先番号として設定し（ステップＳ１４）、発呼メッセージを送信する（ステップＳ１５）。一方、ダイヤルバッファ２９にダイヤルデータが格納されていない場合には（ステップＳ１３；ＮＯ）、リダイヤルデータをダイヤルバッファ２９にセットし、さらにＬＣＤ表示部３３にリダイヤルデータを表示する（ステップ１６）。その後、ステップＳ１に再帰する。このように構成すれば、オンフックの状態で発信／リダイヤルキー３２を２回押下すると、１回目の入力操作でＬＣＤ表示部３３にリダイヤルデータが表示されるとともに、リダイヤルデータがダイヤルバッファ２９に格納され、さらに、２回目の入力操作でダイヤルバッファ２９に格納されているリダイヤルデータを発呼先番号として発呼することができる。リダイヤルデータとしては、発信履歴の中で一番最近に発呼した端末番号が好適であるが、必ずしもこれに限られるものではなく、例えば、発信履歴又は着信履歴のリストの中から発呼者が選択できるように構成してもよい。
【００２０】
これに対し、押下されたキーがスピーカキーである場合にはダイヤルバッファ２９にダイヤルデータが格納されているか否かをチェックし（ステップＳ１７）、ダイヤルデータが格納されている場合には（ステップＳ１７；ＹＥＳ）、ダイヤルデータを発呼先番号として設定し（ステップＳ１８）、発呼メッセージを送信する（ステップＳ１９）。一方、ダイヤルデータが格納されていない場合には（ステップＳ１７；ＮＯ）、オフフック状態に移行する。押下されたキーがキャンセルキーである場合にはダイヤルバッファ２９をクリアし（ステップＳ２０）、待ちうけ状態に移行する。
【００２１】
このように、本実施形態によれば、発信／リダイヤルキー３２に従来の発信キーとリダイヤルキーの機能を兼用させることが可能となるため、より多くの機能をＩＰ電話機１０にもたせることができる。また、ダイヤルバッファ２９にデータが格納されていない状態で発信／リダイヤルキー３２を１回（オフフック時）又は２回（オンフック時）操作するだけでリダイヤル発信が可能となるため、利便性に優れている。
【００２２】
また、上述の説明ではＩＰ電話機１０を例に説明したが、本発明の発呼制御装置はダイヤルデータを一括して送信するようなＩＳＤＮ電話機などのデジタル電話機にも適用することが可能である。
【図面の簡単な説明】
【００２３】
【図１】本実施形態のＩＰ電話機の機能ブロック図である。
【図２】本実施形態のベースユニットの平面図である。
【図３】本実施形態の発呼処理を記述したフローチャートである。
【図４】本実施形態の発呼処理を記述したフローチャートである。
【符号の説明】
【００２４】
１０…ＩＰ電話機  ２０…ベースユニット  ２１…インターフェース回路  ２２…制御部  ２３…信号処理回路  ２４…コーデック  ２５，２６…音声増幅器  ２７…受信バッファ  ２８…送信バッファ  ２９…ダイヤルバッファ  ３０…フックスイッチ  ３１…ダイヤルキー  ３２…発信／リダイヤルキー  ３３…ＬＣＤ表示部  ４０…ハンドセット  ４１…スピーカ  ４２…マイクロフォン
【図１】
2005328126.tif 000003
【図２】
2005328126.tif 000004
【図３】
2005328126.tif 000005
【図４】
2005328126.tif 000006